(57)【要約】【構成】自転車用スタンドにおいて、例えば靴を疵付けないように、比較的に安全にロックを掛けたり、ロックを外せるようにする。【構成】取付け板１と脚部２とロック板４と牽引ばね６とを備えた自転車用スタンドであって、ロック板４の下端部分９に、ロック板の開閉操作時にクッション材となる樹脂製のカバー部材１０嵌着するかまたは軟質の塗料または被膜をコーティングして、靴を疵付けないようにロックを掛けたり、ロックを外せるようにした自転車用スタンドである。【選択図】        図２
2004189180.tif 000002
【特許請求の範囲】
【請求項１】
車体に固定される取付け板と、取付け板に枢着軸を介して揺動可能に取り付けられた脚部と、脚部に支点軸を介して揺動可能に取り付けられたスタンドロック板と、取付け板に一端をばね受けされ、他端をスタンドロック板にばね受けされた牽引ばねとを備えた自転車用スタンドにおいて、
上記スタンドロック板の下端部分に、該ロック板の操作時にクッションとなる樹脂製のカバー部材を嵌着するかまたは軟質の塗料または被膜をコーティングしたことを特徴とする自転車用スタンド。
【発明の詳細な説明】
【０００１】
【産業上の利用分野】
本発明は、自転車用のスタンドに関し、自転車の起立状態を保持するスタンドロック板の下端部にクッション部材を付設して、スタンドロック板の開閉操作時の衝撃を緩衝するようにしたことを特長とするものである。
【０００２】
【従来の技術】
自転車用スタンドにおいて、スタンドを立てるときとか走行可能にする場合とかに、取付け板とスタンドロック板との間に張設されている牽引ばねに抗して、スタンドロック板の下端部分を、通常は使用者が靴で、ロック位置に回動させたり、ロック位置から脚部の後方に撥ね上げるようにしている（例えば、特許文献１、２参照）。
この場合、スタンドロック板には、脚部と取付け板とにばね受けされている牽引ばねの牽引作用線を超えるまでは、ばね力に抗して比較的に強力な力が必要になる。そのため、スタンドロック板の下端部分を蹴ろうとする靴を疵付けたり、降雨時にはスタンドロック板の下端部分に掛けた靴が滑って靴を疵付けるなどの危険がある。
【０００３】
【特許文献１】
特開平１０−４５０７０号公報  （第１−３頁、図１−図７）
【特許文献２】
特開平１０−１３８９６８号公報  （第１−４頁、図１−図７）
【０００４】
【発明が解決しようとする課題】
以上のことから本発明が解決しようとする課題は、この種の自転車用スタンドにおいて、例えば靴を疵付けないように、比較的に安全にロックを掛けたり、ロックを外せるようにすることにある。
【０００５】
【課題を解決するための手段】
そこで本発明は、車体に固定される取付け板と、取付け板に枢着軸を介して揺動可能に取り付けられた脚部と、脚部に支点軸を介して揺動可能に取り付けられたスタンドロック板と、取付け板に一端をばね受けされ、他端をスタンドロック板にばね受けされた牽引ばねとを備えた自転車用スタンドにおいて、
上記スタンドロック板の下端部分に、スタンドロック板の操作時にクッション材となる樹脂製のカバー部材を嵌着するかまたは軟質の塗料または被膜をコーティングしたことを特徴とする自転車用スタンドを提供するものである。
【０００６】
上記のように本発明スタンドは、スタンドロック板の下端部分に樹脂製のカバー部材を嵌着するかまたは軟質の塗料または被膜をコーティングしているので、スタンドをロックしたり、ロックを解除しようとする操作時に、上記カバー部材または軟質の塗料または被膜のコーティング層がクッションとなって該部を蹴ろうとする靴を疵付け難くする。また、ロックを蹴って開閉するときの靴を滑り難くするとともに、万一、滑っても靴を疵つけ難くして、安全なロックの開閉操作ができる。
【０００７】
【実施例】
以下に、本発明の実施例を図面について説明する。
図面に示す実施例は、本発明をスタンドを立てたときに自動的にロックが掛かる公知のオートロック型のスタンドに用いた場合のもので、図１は、スタンドの跳ね上げ状態を示す一部切欠側面図、図２は、スタンドの起立状態を示す側面図、図３は、実施例に樹脂製カバー部材を用いた場合の一部切欠側面図である。
【０００８】
図において、１は、自転車の車体に固定される取付け板、２は、基部を取付け板１の裏側に沿わせ、枢着軸３により取付け板１に対して回転可能に取り付けた脚部、４は、枢着軸３から適宜に離れた位置で支点軸５にブラケット部４’を装着して脚部２に回転可能に取り付けられたスタンドロック板（以下ロック板）、６は、取付け板１の上縁部に具えたばね受け７に一端をばね受けされ、他端をロック板４の下部のばね受け８にばね受けさせてスタンドの外側から取付け板１とロック板４の間を牽引する牽引ばね、９は、ロック板４の下端（支点軸５から適宜に離れた図示先端）部分、１０はこの下端部分の先から嵌着した樹脂製のカバー部材である。
【０００９】
図１に示す跳ね上げ状態において、脚部２は牽引ばね６により同図左回りに付勢されているが、その回転は取付け板１の後部上縁（取付け板１の図示右端）に折り曲げ状態に具えた抑止部１１の下側から脚部２が当接することにより、水平を若干上回る角度位置に抑止されている。
【００１０】
また、ロック板４は、前側に形成した支点軸５に嵌着したブラケット部４’の底辺後部に具えた当接部１２を、下側から脚部２に当接させることにより、牽引ばね６に抗して該ロック板４の図示左回りの回転を抑止されるように備えている。この跳ね上げ状態において、牽引ばね６は、上記抑止部９と脚部２との圧接と、脚部２と上記ロック板４の当接部１２との圧接をそれぞれ強化する方向に付勢している。すなわち、ロック板４の支点軸５を頂点とし、両ばね受け７、８間を底辺とする逆三角形の底辺をなすように張設されている。
【００１１】
図１に示す跳ね上げ位置から脚部２を起立させる起立行程において、牽引ばね６の牽引作用線Ｌが、ロック板４の支点軸５の後側から前側へ達するように、牽引ばね６のばね力に抗して脚部２を押し下げる。
そして、脚部２の回動位置が支点軸５と取付け板側のばね受け７を結ぶ線ｌを超えると、牽引ばね６の牽引作用により脚部２がほぼ自動的に起立位置に達する。このとき、牽引ばね６の牽引作用線Ｌがロック板４の支点軸５を超えて、縦になった脚部２の前方にその牽引位置を移動することにより、脚部２の起立角度がより深くなると同時に、ロック板４の下端部１０に右回りの回転が生じて、図２に示すように起立したスタンドにオートロックが掛かる。
【００１２】
図２に示すように、脚部２が起立状態に変り、ロック板４が支点軸５を支点として右回りに回転すると、ロック板４の上部に具えた爪部１３が、取付け板１の前縁１’に具えた切欠部１４に係合してスタンドがオートロックされる。
ここで、オートロック型ではない通常のスタンドは、脚部（スタンド）を立てる一次操作と、立てた脚部をロックする二次操作を必要とする。
【００１３】
オートロックのない通常のスタンドは、脚部を立てたときには、ロック板が前傾しており（図１参照）、前傾しているロック板を後傾させる二次操作によってはじめてスタンドにロックが掛かる。
脚部を起立位置にロックする場合は、下端部分を後方にして傾斜しているロック板を前方に蹴り出す必要があり、一般には、ロック板の下端部分に足を掛け、牽引ばねの付勢に抗して、ロック板側のばね受けが脚部の中心線を超えるまで、比較的に強く前方に蹴り出さなければならない。このとき、使用者が履いている靴で蹴るロック板の下端部分に、本発明のようにカバー部材１０を被着しておくと、蹴り出す時の衝撃が緩衝されて靴を疵付け難くする。また、該部分を覆うカバー部材１０は、ロック板を蹴り出す靴を滑り難くもする。
【００１４】
図２に示すように、脚部１にロックが掛かった状態を解除する場合は、ロック状態を維持する牽引ばね６の牽引力に抗してロック板４を後方に蹴り戻し、支点軸５を中心にしてロック板４を揺動させて爪部１３と切欠部１４との係合を外す操作が必要であるが、使用者が履いている靴の当る部分は、上述のようにカバー部材１０で覆われているので、その蹴り戻す際の靴にもクッションが働き、靴を疵付け難くするとともに滑り難くして、安全な解除操作ができる。
【００１５】
なお、ロック板４を揺動させて、ロック部１１と切欠部１２との係合を外すと、同時に、図２に示す牽引ばね６の牽引作用線Ｌが支点軸５を前側（図示左側）から後側（右側）へ超えて、脚部２は自動的に撥ね上げ位置に戻り、自転車の走行がを可能になる。
そして、脚部２が起立位置から跳ね上げ位置に復帰する行程の中間で、牽引ばね６の牽引作用線Ｌが枢着軸３の真上に当る位置に、ロック板４の上縁部１５と係合するように取付け板１の下縁に凹部１６を設けると、脚部２を半ば接地させたままで自転車の発走が可能になり、走行につれて脚部２が跳ね上げ位置に復帰することは従来とおりである。
【００１６】
なお、オートロック型ではない通常のスタンドの場合のロック解除操作は、上記したオートロック型のスタンドに準ずるので説明の煩瑣を避けるために省略する。
【００１７】
ロック板４の下端部分９に嵌着した樹脂製のカバー部材１０は、図３に示すように、靴が当る表面に滑り止め１０’を形成し、断面形状を下端部分９の断面に合致させた適宜長の先止まりの嵌合部１７を設け、嵌合部１７内に設けた逆止爪１８をロック板４の下端部分９に設けた掛止孔１９に係合させて脱落を防止して、振れなく固定されている。
なお、別の実施例としては、鋼板製のロック板４の下端部分９に、軟質の樹脂塗料を厚めに塗装するとか、比較的に強靱な被膜を溶着するなどして、該部分９をクッション材でコーティングすることもある。
また、本発明の実施は、上述のように、図示したオートロック型のスタンドに限らず、オートロック型ではない通常の自転車のスタンドのロック板に適用できる。また、本発明の適用は、一本脚型、両脚型のスタンドを問わない。
【００１８】
【発明の効果】
前記のように構成され、上記のように用いられるようにした本発明によれば、立てたスタンドにロックを掛けるとき、ロックを外すときに、使用者が靴をいためないロック板の開閉操作ができ、怪我の予防にもなり安全に使用できるとともに、特に、比較的に高価な靴を常時履いている女性に優しいという効果がある。
【図面の簡単な説明】
【図１】図１は、スタンドの跳ね上げ状態を示す一部切欠側面図、
【図２】図２は、スタンドの起立状態を示す側面図、
【図３】図３は、実施例に樹脂製カバー部材を用いた場合の一部切欠拡大断面図である。
【符号の説明】
１  取付け板
２  脚部
３  枢着軸
４  スタンドロック板  （ロック板）
５  支点軸
６  牽引ばね    （Ｌ  牽引ばねの牽引作用線）
７  取付け板側のばね受け
８  ロック板側のばね受け
９  下端部分
１０  カバー部材
１１  抑止部（取付け板側）
１２  当接部（ロック板側）
１３  爪部
１４  切欠部
１５  ロック板の上縁
１６  凹部（取付け板側）
１７  嵌合部
１８  逆止爪
１９  掛止孔
【図１】
2004189180.tif 000003
【図２】
2004189180.tif 000004
【図３】
2004189180.tif 000005